(57)【要約】      （修正有） 【課題】回路基板に安定に支持される電気コネクタを提供する。 【解決手段】電気コネクタは、基部と、該基部から突出する舌片とを設けられる絶縁本体１と、該絶縁本体の舌片に配置される接触部と、前記絶縁本体から突出する半田部とを含み、前記絶縁本体に装着された複数の導電端子２と、天板３０と、該天板に対向する底板３２と、前記天板と底板をそれぞれ連接する両側板３１とを含み、前記絶縁本体の外周を被覆して、相手コネクタが挿入される挿入口３４を有する収容空間３３が形成されるシェル３とを含む電気コネクタにおいて、前記シェルの両側板に回路基板４に保持する保持片がそれぞれ形成され、前記側板の先端に隣接する箇所に回路基板に支持するための支持部３５が突出するように形成され、シェルの保持片と保持部により電気コネクタが回路基板に安定に実装される。【選択図】図２
0003164060.tif 000002
【実用新案登録請求の範囲】
【請求項１】
基部と、前記基部から突出する舌片とを設けられる絶縁本体と、
前記絶縁本体の舌片に配置される接触部と、前記絶縁本体から突出する半田部とを含み、前記絶縁本体に装着された複数の導電端子と、
天板と、前記天板に対向する底板と、前記天板と底板をそれぞれ連接する両側板とを含み、前記絶縁本体の外周を被覆して、相手コネクタが挿入される挿入口を有する収容空間が形成されるシェルと、
を含む電気コネクタにおいて、
前記シェルの両側板に回路基板に保持する保持片がそれぞれ形成され、前記側板の先端に隣接する箇所に回路基板に支持するための支持部が突出するように形成されることを特徴とする電気コネクタ。
【請求項２】
前記支持部は、前記側板から電気コネクタの外部へ水平に突出するように配置されることを特徴とする請求項１に記載の電気コネクタ。
【請求項３】
前記支持部が回路基板に搭接して半田づけされていないことを特徴とする請求項２に記載の電気コネクタ。
【請求項４】
前記電気コネクタが回路基板に沈降的に実装され、前記回路基板には前記電気コネクタの一部を収容する取付空間が形成されていることを特徴とする請求項１に記載の電気コネクタ。
【請求項５】
前記シェルの底板が前記回路基板の取付空間に収容され、前記回路基板に前記保持片に係合するための貫通孔が形成されることを特徴とする請求項４に記載の電気コネクタ。
【請求項６】
前記保持片は、後端での第二保持片と、第二保持片より前記挿入口に隣接する第一保持片とを含み、前記支持部が前記第一保持片の一側に位置して前記挿入口に隣接するように配置されることを特徴とする請求項１項に記載の電気コネクタ。
【請求項７】
前記第一保持片は、前記第二保持片より電気コネクタの外側に偏って配置されることを特徴とする請求項６に記載の電気コネクタ。
【請求項８】
前記導電端子の半田部は、回路基板に平行に配置され、前記シェルの天板と底板との間の平面に配置されることを特徴とする請求項１に記載の電気コネクタ。
【考案の詳細な説明】
【技術分野】
【０００１】
本考案は、電気コネクタに関して、特に、回路基板に沈降的に実装される電気コネクタに関する。
【背景技術】
【０００２】
従来技術の電気コネクタは、特許文献１に示すように、絶縁本体と、絶縁本体に装着される複数の導電端子と、絶縁本体に覆っている金属シェルとを含み、絶縁本体の後端の底部に、固定ポストが下向きに延出するように形成され、また、金属シェルの両側の後端に電気コネクタの外側へ突出する固定片が設けられる。絶縁本体の固定ポストと金属シェルの固定片が回路基板の固定孔に係合することにより、電気コネクタが回路基板に沈降的に実装される。
【先行技術文献】
【特許文献】
【０００３】
【特許文献１】中国実用新案公告CN20113077Y号明細書
【考案の概要】
【考案が解決しようとする課題】
【０００４】
電気コネクタを回路基板に実装する時に、電気コネクタの後端が絶縁本体の固定ポストと金属シェルの固定片が回路基板の固定孔に係合することにより回路基板に支持され、先端が回路基板に設けられた収容通孔に沈降的に収容され実装される。しかしながら、従来の電気コネクタの先端には支持部材が配置されていないので、相手コネクタに嵌合する時に、電気コネクタの先端が回路基板に直交する方向に揺動して、相手コネクタとの接続が不安定になる恐れがある。そこで、新型の電気コネクタを開発することが必要である。
【０００５】
本考案は、回路基板に安定に支持される電気コネクタを提供することを目的とする。
【課題を解決するための手段】
【０００６】
本考案の電気コネクタは、基部と、前記基部から突出する舌片とを設けられる絶縁本体と、前記絶縁本体の舌片に配置される接触部と、前記絶縁本体から突出する半田部とを含み、前記絶縁本体に装着された複数の導電端子と、天板と、前記天板に対向する底板と、前記天板と底板をそれぞれ連接する両側板とを含み、前記絶縁本体の外周を被覆して、相手コネクタが挿入される挿入口を有する収容空間が形成されるシェルと、を含む電気コネクタにおいて、前記シェルの両側板に回路基板に保持する保持片がそれぞれ形成され、前記側板の先端に隣接する箇所に回路基板に支持するための支持部が突出するように形成される。
【考案の効果】
【０００７】
従来技術に比べ、本考案の電気コネクタは以下の利点を有し、シェルの保持片と支持部により電気コネクタが回路基板に安定して実装される。
【図面の簡単な説明】
【０００８】
【図１】本考案に係る電気コネクタの組立斜視図である。
【図２】図１に示す電気コネクタが回路基板に実装される組立斜視図である。
【図３】図３に係る電気コネクタの平面図である。
【図４】本考案に係る電気コネクタの分解斜視図である。
【図５】図４に示す電気コネクタのほかの角度から見た分解斜視図である。
【考案を実施するための形態】
【０００９】
以下、図１〜図５を参照すると、本考案の電気コネクタの好ましい実施形態について、添付図面を参照して説明する。本考案の電気コネクタは、回路基板４に実装されて、絶縁本体１と、絶縁本体１に装着された複数の導電端子２と、前記絶縁本体１に覆っているシェル３と、を含む。前記回路基板４に電気コネクタを収容する取付空間が貫通するように形成される。
【００１０】
前記絶縁本体１は、基部１０と、基部１０から前向きに延出する舌片１１とを含み、舌片１１の上下壁に複数の端子溝１１０が舌片１１と基部１０を貫通するように設けられ、基部１０の下部の両側に凹部１００が形成される。
【００１１】
前記導電端子２は、舌片１１の両側にそれぞれ装着される第一端子組２１と、第二端子組２２とを含み、各導電端子２は、絶縁本体１に保持される保持部２１０、２２０と、保持部２１０、２２０の一端から延出して相手コネクタの導電端子に接続する接触部２１１、２２１と、保持部２１０、２２０の他端から絶縁本体１を突出する半田部２１３、２２３とをそれぞれ含み、前記第一端子組２１の半田部２１３と第二端子組２２の半田部２２３が同一な平面５に位置し、半田作業に便利になっている。
【００１２】
図１乃至図４を参照すると、シェル３は、金属板を成型してなり、天板３０と、天板３０の両側から折り曲がって延出する両側板３１と、両側板３１から折り曲がって前記天板３０に対向する底板３２とを一体に含み、金属板の継ぎ目が底板３２の中部に形成される。前記天板３０と、両側板３１と、底板３２とは、絶縁本体１の舌片11を包囲するための収容空間３３が形成され、前記導電端子２の接触部２１１、２２１が前記収容空間３３に露出している。金属シェルの天板３０と底板３２とは、収容空間３３に斜めに延出する弾性片３００、３２０がそれぞれ形成され、前記側板３１に下向きに延出して回路基板４に保持される第一保持片３１０、第二保持片３１１が形成され、前記第一保持片３１０が第二保持片３１１より相手コネクタの挿入口３４に隣接して配置される。第一保持片３１０と第二保持片３１１を回路基板４に直交するように配置して、第一保持片３１０がＬ字形状を呈して、側板３１から横向きに延出してから回路基板４に向いて延出するように形成し、これにより、前記第一保持片３１０が第二保持片３１１より外側に偏って配置される。前記第一保持部３１０が第二保持片３１１より外側に偏って配置されるので、回路基板４に第一保持片３１０に係合する貫通孔を設けることが便利になる。
【００１３】
前記シェル３の側板３１に回路基板４に搭接するための支持部３５が突出して形成され、支持部３５が第一保持片３１０に隣接し、回路基板４に平行に配置される。電気コネクタが回路基板４に実装されるとき、支持部３５は回路基板４に搭接して半田しない。また、シェル３の天板３０の後端に係合片３０１が形成され、絶縁本体１の基部１０に前記係合片３０１に係合するための係合凹部１０１が形成され、前記係合片３０１が前記係合凹部１０１に係合することによりシェル３が絶縁本体１に保持される。
【００１４】
電気コネクタが回路基板４に沈降的に実装する時に、前記シェル３の底板３２が回路基板４の取付空間に沈降的に収容され、導電端子２の半田部２１３、２２３が回路基板４に半田づけされ、前記第一保持片３１０と第二保持片３１１が回路基板４の貫通孔に係合することにより電気コネクタが回路基板４に実装され、前記シェル３の挿入口３４に隣接する側板３１に支持部３５が設けられるので、電気コネクタの先端の安定性が向上している。
【００１５】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。 
【符号の説明】
【００１６】
１  絶縁本体
１０  基部
１1  舌片
１００  凹部
１０１  係合凸部
２  導電端子
２１  第一端子組
２２  第二端子組
２１０、２２０  保持部
２１１、２２１  接触部
２１３、２２３  半田部
３  シェル
３０  天板
３１  側板
３２  底板
３３  収容空間
３４  挿入口
３５  支持部
３００、３２０  弾性片
３１０  第一保持片
３１１  第二保持片
【図１】
0003164060.tif 000003
【図２】
0003164060.tif 000004
【図３】
0003164060.tif 000005
【図４】
0003164060.tif 000006
【図５】
0003164060.tif 000007